(57)【要約】隠し引き紐器具（10）は、ハウジング（22）およびハウジング内に配置された回転可能なハブ（52）を含む。該ハブはハブの周りに巻かれる引き紐の一端を受け入れるよう構成されている。ハンドル・アセンブリ（20）は、回転可能にハウジングに接続されている。駆動部材は、ハンドル・アセンブリに接続された第一端と回転可能ハブに接続された第二端とを有する。2008531202.tif 000003
2008531202.tif 000002
【特許請求の範囲】
【請求項１】
ハウジング；
該ハウジング内に配置され、ハブの周りに巻かれる引き紐の一端を受け入れるように構成された、回転可能なハブ；
該ハウジングに回転可能に接続されたハンドル・アセンブリ；ならびに
該ハンドル・アセンブリに接続された第一端、および該回転可能ハブに接続された第二端を有する、駆動部材
を組み合わせて含む、隠し引き紐器具。
【請求項２】
該ハウジングが、引き紐を受け入れるよう構成された第一開口部および、該駆動部材が通って延びる第二開口部とを含む、請求項1記載の隠し引き紐器具。
【請求項３】
該ハンドル・アセンブリが、ベース部分および、該ベース部分に枢動可能に固定されたアームとを含む、請求項1記載の隠し引き紐器具。
【請求項４】
該アームが少なくとも一つのピンを含み、該ベース部分が少なくとも一つのノッチを含み、かつ、該アームが旋回して該ベース部分と接触する関係になったときに、各ノッチが対応するピンを受け入れる、請求項3記載の隠し引き紐器具。
【請求項５】
各ピンが該アームから外部方向にバイアスしており、該アームが、各ピンに接続されて、ピンを外部方向にバイアスした状態から解除するよう構成された解除ボタンを含む、請求項4記載の隠し引き紐器具。
【請求項６】
該ベース部分が、該アームを内部へと旋回させることのできる凹部を含む、請求項3記載の隠し引き紐器具。
【請求項７】
該ハンドル・アセンブリが、該ベース部分が接続されたハンドル・ハウジングをさらに含む、請求項1記載の隠し引き紐器具。
【請求項８】
該ベース部分が複数のピンを含み、該ハンドル・ハウジングが複数の凹部を含み、かつ、各凹部が対応するピンを受け入れて該ベース部分を該ハンドル・ハウジングに固定する、請求項7記載の隠し引き紐器具。
【請求項９】
該ハウジングが、第一部分および、第一部分と切り離し可能に固定された第二部分とを含む、請求項1記載の隠し引き紐器具。
【請求項１０】
該第一部分および該第二部分の一方が複数の突起を含み、該第一部分および該第二部分の他方が複数の開口部を含み、かつ、各突起が、対応する凹部内に解除可能に受け入れられて該第一部分と該第二部分とを切り離し可能に固定している、請求項9記載の隠し引き紐器具。
【請求項１１】
該第一部分および該第二部分の一方が、その外面から径方向内側に延びる複数のスロット対を含み、各スロット対によってフレキシブル・アームが規定され、各突起が対応するフレキシブル・アームの上に配置されている、請求項10記載の隠し引き紐器具。
【請求項１２】
該第一開口部に隣接するハウジングの外部に固定されたガイド部材をさらに含む、請求項1記載の隠し引き紐器具。
【請求項１３】
該ガイド部材が、該ハウジング外部から外側方向に延びたフランジ対の間に延びるローラー・バーを含む、請求項12記載の隠し引き紐器具。
【請求項１４】
該ハウジングが、該第二開口部の周りに配置された複数のロック開口部を含む、請求項1記載の隠し引き紐器具。
【請求項１５】
ハンドルの内面から軸方向内側に延びるロックピンをさらに含む、請求項14記載の隠し引き紐器具であって、該ロックピンが、該ロック開口部内に受け入れ可能である、隠し引き紐器具。
【請求項１６】
該ロックピンが、径方向外側にバイアスされている、請求項15記載の隠し引き紐器具。
【請求項１７】
該ロックピンを外側にバイアスさせるバネを該ハンドル内にさらに含む、請求項16記載の隠し引き紐器具。
【請求項１８】
該ハウジングと該ハンドル・アセンブリとを固定する衣料品をさらに含む、請求項1記載の隠し引き紐器具。
【請求項１９】
第一開口部および第二開口部を有するハウジング；
該ハウジング内に配置された回転可能なハブ；
該ハウジング内の該第一開口部を通って延び、該ハブに固定された第一端を有し、ハブの回転に応じハブの周りに巻き取られたりハブから巻き戻される引き紐；
該ハウジングの外部に回転可能に固定されているハンドル・アセンブリ；ならびに
該ハウジング内の該第二開口部を通って延び、その第一端で該ハンドル・アセンブリに、第二端で該ハブに接続され、かつ、該ハンドル・アセンブリに加えられた回転力を該ハブに伝える、駆動部材
を組合せて含む、隠し引き紐器具。
【請求項２０】
該ハンドル・アセンブリが、ベース部分および、該ベース部分に枢動可能に固定されたアームとを含む、請求項19記載の隠し引き紐器具。
【請求項２１】
該ハンドル・アセンブリが、該ベース部分が接続されているハンドル・ハウジングをさらに含む、請求項19記載の隠し引き紐器具。
【請求項２２】
該ハウジングが、第一部分および、第一部分と切り離し可能に固定された第二部分を含む、請求項19記載の隠し引き紐器具。
【請求項２３】
該ハウジングが、該第二開口部の周りに配置された複数のロック開口部を含む、請求項19記載の隠し引き紐器具。
【請求項２４】
該ハンドルの内面から軸方向内側に延びるロックピンをさらに含む、請求項23記載の隠し引き紐器具であって、該ロックピンが該ロック開口部内で受け入れ可能である、隠し引き紐器具。
【請求項２５】
該ハウジングと該ハンドル・アセンブリとを固定する衣料品をさらに含む、請求項19記載の隠し引き紐器具。
【請求項２６】
第一部分、第一部分と切り離し可能に固定された第二部分、第一開口部、および第二開口部を有するハウジング；
該ハウジング内に配置された回転可能なハブ；
該ハウジングの該第一開口部を通って延び、該ハブに固定された第一端を有し、かつ、該ハブの回転に応じ該ハブの周りに巻き取られたり該ハブから巻き戻される引き紐；ならびに
該ハウジングに回転可能に固定されたハンドル・アセンブリであって、
ハンドル・ハウジング、
該ハンドル・ハウジングに固定されたベース部分、
該ベース部分に枢動可能に固定されたアーム、および
該アームに接続された第一端と該回転可能ハブに接続された第二端とを有し、該ハウジング内の第二開口部を通って延び、該ハンドルに加えられた回転力を該回転可能ハブに伝えるよう構成されている、駆動部材
を包含するハンドル・アセンブリ
を組合せて含む、隠し引き紐器具。
【請求項２７】
該ハウジング、該ハンドル・ハウジング、および該ベース部分を固定する衣料品をさらに含む、請求項26記載の隠し引き紐器具。
【発明の詳細な説明】
【技術分野】
【０００１】
発明の分野
本発明は、概して、衣料および他の物品に用いるための引き紐に関し、具体的には、衣料および他の物品に用いるための隠し引き紐アセンブリに関する。なお本出願は、2005年3月3日に出願された、同時係属中の米国特許出願第11/071,066号による優先権を主張する。
【背景技術】
【０００２】
発明の背景
引き紐は、衣料品およびダッフル・バッグといった製品を閉じたり締めたりするために周知である。例えば、コート又はジャケットのフードに引き紐を使うと、垂れ下がった引き紐が邪魔で不快なことがあり、引き紐が他の物体に巻き込まれたり引っ掛かったりするために安全問題が生ずることがある。特に子供の場合これは危険である。
【０００３】
本発明の目的は、従来知られるデバイスに付きものの問題点の一部又は全部を低減又は克服する隠し引き紐アセンブリを提供することである。以下の本発明の開示および特定の好ましい態様の詳細な説明を参照すれば、当業者、すなわち当技術分野に関する知識または経験を有する人々には、本発明の具体的な目的および利点は明らかであろう。
【発明の開示】
【０００４】
概要
本発明の原理を有利に用いて、引き紐を締めるのに使用可能であり、引き紐を隠してそれにより引き紐の自由端が露出されるのを防止し、かつ引き紐の自由端に関連する危険を最小化する、隠し引き紐アセンブリを提供することができる。
【０００５】
第一の好ましい態様によれば、隠し引き紐器具は、ハウジングおよび該ハウジング内に配置された回転可能ハブを含む。ハブは、ハブの周りに巻かれる引き紐の一端を受け入れるように構成されている。ハンドル・アセンブリは、回転可能にハウジングに接続されている。駆動部材は、ハンドル・アセンブリに接続された第一端と回転可能ハブに接続された第二端とを有する。
【０００６】
別の好ましい態様によれば、隠し引き紐器具は、第一開口部と第二開口部とを有するハウジングを含む。回転可能ハブはハウジング内に配置される。引き紐は、ハウジング内の第一開口部を通って延び、ハブに固定された第一端を有する。引き紐は、ハブの回転に応じハブの周りに巻き取られたりハブから巻き戻される。ハンドル・アセンブリは、回転可能にハウジングの外部に固定されている。駆動部材は、ハウジング内の第二開口部を通って延び、その第一端でハンドル・アセンブリに、第二端でハブに接続されている。駆動部材は、ハンドル・アセンブリに加えられた回転力をハブに伝える。
【０００７】
さらなる態様によれば、隠し引き紐器具は、第一部分、切り離し可能に第一部分に固定された第二部分、第一開口部、および第二開口部を有する、ハウジングを含む。回転可能ハブは、ハウジング内に配置される。引き紐は、ハウジング内の第一開口部を通って延び、ハブに固定された第一端を有する。引き紐は、ハブの回転に応じハブの周りに巻き取られたりハブから巻き戻される。ハンドル・アセンブリは回転可能にハウジングに接続され、ハンドル・ハウジングと、ハンドル・ハウジングに固定されたベース部分と、ベース部分に枢動可能に固定されたアームと、駆動部材とを含む。駆動部材は、アームに接続された第一端と、回転可能ハブに接続された第二端とを有し、ハウジング内の第二開口部を通って延びている。駆動部材は、ハンドルに接続された第一端と、ハブに接続された第二端とを有する。駆動部材は、ハンドルに加えられた回転力を回転可能ハブに伝えるよう構成されている。
【０００８】
隠し引き紐アセンブリを提供することによって重要な利点が得られる。具体的には、本発明の特定の好ましい態様は、引き紐の自由端を隠し続けながら、引き紐を締めることができる器具を提供する。このことは、自由端が露出されるのを防ぎ、引き紐が他の物体に巻き込まれたりからまったりする危険を最小化するので、非常に有利である。これは、特に子供の衣料用途として有用である。
【０００９】
本明細書で開示される本発明のこれらのおよびさらなる特徴および利点は、以下の特定の好ましい態様の詳細な開示から、さらに理解されよう。
【００１０】
添付の図面は、必ずしも縮尺比に従ったものでなく、関連する原理を例示した本発明の表現を提供するものと理解すべきである。説明および理解を容易にするため、図中に示した隠し引き紐アセンブリの特徴の一部は、他に対して拡大又は変形されている。それぞれ異なる態様において示す類似又は同一の構成要素および特徴に対しては、これらの図面の中の同じ参照番号が用いられる。本明細書において開示される隠し引き紐アセンブリは、意図される用途およびそれらが使われる環境によって部分的に決定される、構造および構成要素を有するであう。
【００１１】
特定の好ましい態様の詳細な説明
本発明をさまざまな形態で具現することができる。隠し引き紐アセンブリ10のある好ましい態様を図1に示す。ここでは、衣料品のフード12において使われている隠し引き紐アセンブリ10を示す。本明細書において使用される衣料という用語は、履き物を含む。なお、本発明の隠し引き紐アセンブリは、衣料での使用に限定することを意図しておらず、任意の適したデバイスで使用できることを理解すべきである。例えば、隠し引き紐アセンブリ10を、ダッフル・バッグ又はバックパックのようなバッグに使うことができる。本開示の恩典を参照すれば、当業者にとって他の適切な用途は容易に明らかになろう。
【００１２】
引き紐14はフード12の周辺を回って延びており、縫い付け又は他の適切な方法で、引き紐14の第一端16（図では見えない）は引き紐アセンブリ10に固定されており、引き紐14の第二端18はフード12に固定されている。引き紐14は、フード12の中に隠されている。図示された態様では、引き紐14は、フード12の中で形成されたスリーブ19の中に配置されている。スリーブ19は、フード12を折り返して、その縁を縫い付け又は他の適切な方法で固定することによって、形成することができる。別の態様において、フード12の縁に沿って延びる一対の向かい合った縫い目線で、スリーブ19を形成することができる。さらに別の態様において、材料の細片を、縫い付け又は他の適切な方法でフード12に固定して、スリーブ19を形成することができる。
【００１３】
フード12の周りの引き紐14を締めるため、ユーザは、引き紐アセンブリ10のハンドル・アセンブリ20上のアームを回し、以下でさらに詳細に説明するように、引き紐アセンブリ10内に引き紐14を巻き取る。引き紐14は、引き紐が締まっているときおよび緩んだ状態のときの双方において、その端部が自由に垂れ下がることのないように、フード12および引き紐アセンブリ10の内部に好都合に隠され、それにより引き紐が別の物体にはさまれる一切のリスクが最小化される。
【００１４】
なお、特定の好ましい態様において、フード12の反対側に追加の引き紐アセンブリ10を設け、引き紐14の第二端18を、フード12に直接固定するのでなく、追加の引き紐アセンブリ10の中に巻き取るようにすることができることが理解されるべきである。
【００１５】
引き紐アセンブリ10のさらなる詳細を分解様式で図2に示す。引き紐アセンブリ10は、第一部分24と第二部分26から形成されるハウジング22を含む。ハウジング22（図1および4に示された）内の第一開口部28は、第一部分24の径方向外側壁32中の開口部30と、第二部分26の径方向外側壁36中の対応する開口部34とによって形成されてる。開口部30と開口部34とが整列して第一開口部28を規定するよう、第二部分26は、第一部分24内で入れ子になっている。
【００１６】
複数の開口部38が、第一部分24の壁32に形成されている。複数のスロット対40が第二部分26の壁36に形成されている。各スロット対40は、壁36の軸方向外側縁端部から軸方向内側に向かって延び、フレキシブル・アーム42を規定している。突起44が各フレキシブル・アーム42の径方向外側表面に形成されている。各突起44は、第二部分26が第一部分24内で入れ子になったとき、対応する開口部38に受け入れられる。フレキシブル・アーム42は径方向に移動し、それによって突起44を開口部38との係合から解除することができる。第一部分24と第二部分26とを相互に分離するには、ユーザは、自分の指、ピン、棒、又は他の適切な部材で、突起44を径方向内側に押すだけでよく、これにより、突起44が開口部38との係合から解除され、第一部分24と第二部分26は相互に引き離される。第一部分24の軸方向外側壁48の中央部に第二開口部46が形成されている。第二開口部46の周りに複数のロック開口部50が配置されている。
【００１７】
ハブ52は、第二部分26内に配置され、駆動ピン台座54を含む。図3でさらに明瞭に見られるように、引き紐開口部56がハブ52の径方向外側壁58に形成されている。引き紐開口部56は、ハブ52の引き紐14の第一端16を受け入れる。第一端16を、その先端に結んだ結び目（図示せず）又は他の任意の適切な取り付け手段によって、ハブ52に固着することができる。後記でさらに詳細を説明するように、引き紐14をハブ52の周りに巻き取ってフード12の周りの引き紐14を締める。ここで示されるように、ハブ52の円筒形の壁58はベース60から延びている。内壁64が、壁58から駆動ピン台座54に向け径方向内側に延びている。後でより詳細に説明するように、駆動ピン台座54は、ハンドル・アセンブリ20の駆動ピン68を受け入れる。ここで示されるように、駆動ピン台座54は実質的に長方形の形状である。駆動ピン台座54は、駆動ピン68と嵌合してこれを受け入れる任意の形状でありうることが認識されるべきである。
【００１８】
他の態様において、スロット40、フレキシブル・アーム42、および突起44を第一部分24上に配置し、開口部38を第二部分26内に形成することができることが認識されるべきである。例示された態様において、ハウジング22、およびしたがって第一部分24と第二部分26とは、ほぼ円筒形である。但し、他の形状のハウジング22も本発明の範囲内にあると見なされることが認識されるべきである。
【００１９】
図2に示されたハンドル・アセンブリ20は、ハンドル・ハウジング70およびハンドル部分72を含む。ハンドル部分72は、ベース部分74と、ベース部分74に枢動可能に固定されたアーム76とを含む。ベース部分74は凹部77を含み、その中にアーム76を折り畳むことができる。したがって、ハンドル・アセンブリ20が引き紐14の巻き取りに使われていないときには、アーム76は、ベース部分74内のコンパクトな構造の中に折り畳まれる。
【００２０】
駆動ピン68の第一端82にある開口部分80を通って延びるピン78によって、アーム76をベース部分74に枢動可能に固定することができる。駆動ピン68は、ベース部分74内の開口部84を通り、ハンドル・ハウジング70内の開口部86を通って延びている。駆動ピン68の第二端88は、ハウジング22の第一部分24内の第二開口部46を通って延び、ハブ52の駆動ピン台座54に受け入れられている。
【００２１】
一対のピン90がアーム76から外側に延びている。ピン90は、凹部77の壁に形成されたノッチ92に受け入れられる。好ましい態様において、ピン90は、アーム76が凹部77に折り畳まれたとき、外側に向けバイアスしノッチ92と係合するように、バネ荷重を有する。したがって、アーム76は、非動作状態ではベース部分74に対して所定の位置で固定される。解除ボタンを押すことによって、ピン90のバイアス作用が解放され、アーム76がベース部分74から外側に旋回されるように、アーム76中の解除ボタン94は、バネ荷重ピン90に接続されている。特定の好ましい態様においては、アーム76に単一のピン90を備えることができることが認識されるべきである。
【００２２】
バネ荷重ロックピン98の第一端96は、ベース部分74内の開口部100を通って延びている。ロックピン98は、ハンドル・ハウジング70内の開口部102を通って延び、ロックピン98の第二端104は、ハウジング22の第一部分24内のロック開口部50のいずれかを通ってハブ54へと延びている。第二端104は、ハブ54の内壁64で終端しており、ハンドル・アセンブリ20がロック状態のときに、ハブ54の回転および引き紐14の巻き戻しを防止している。ピン98を外側方向にバイアスさせているバネ99は、ハンドル・ハウジング70内に収容されている。アーム76が内側に折りたたまれベース部分74の凹部77内にあるとき、アーム76は、ロックピン98の第一端96と係合して、第二端104がそれと整列しているロック開口部50に受け入れられるように、ピンを内側に押す。ロックピン98のロック開口部50内への係合によって、ハンドル・アセンブリ20は、ハウジング20に対し固定される。アーム76がベース部分74から外側に折りたたまれて作動位置になると、ロックピン98は外側にたわんでロック開口部50との係合から外れる。この状態で、ハンドル・アセンブリ20を回転させることができ、引き紐14をハブ52の周りに巻き取ることができる。引き紐14が所望の締まり具合になるまで、アーム76を十分に回転させた後、アーム76を凹部76に畳み戻し、それにより、その第二端104を対応するロック開口部50と係合させるように、ロックピン98を押し込む。
【００２３】
ベース部分74から複数のピン105が外側に延び、ハンドル・ハウジング70内に形成された対応する凹部107に受け入れられており、これにより、ベース部分74はハンドル・ハウジング70に対して固定される。ピン105の先端には返し109を設け、これは、ハンドル・ハウジング70に形成された凹部110内にこれを受け入れさせることができる。ピン、棒、又は他の適切な部材を凹部110に挿入して、返し109とピン105とを解除することができ、それにより、ベース部分74をハンドル・ハウジング70から切り離すことができる。図4に示すように、フード12の繊維部分（又は、隠し引き紐アセンブリ10を取り付ける任意の他の物体の材料）は、ベース部分74とハンドル・ハウジング70との間に捕捉され、これにより隠し引き紐アセンブリ10をフード12に固定する。
【００２４】
図4に見られるように、ハウジング22の第一部分24から外部に延びたフランジ対108で、ローラー・バー106のようなガイド部材を支える。引き紐14をハウジング22の開口部28から引き出し、ローラー・バー106に巻き付け、引き紐14が、開口部28の縁に垂れ下がる可能性を低減する。
【００２５】
前述の本発明の開示および好ましい態様の説明を参照し、本発明の範囲および精神から逸脱することなく、さまざまな改変および修正が可能なことを、当業者は容易に理解するであろう。そのような改変および修正は全て、添付の特許請求の範囲に含まれることが意図される。
【図面の簡単な説明】
【００２６】
【図１】衣料品のフードにおける使用を示す、本発明の好ましい態様による隠し引き紐アセンブリの斜視図である。
【図２】図1の引き紐アセンブリの分解組み立て図である。
【図３】図1の引き紐アセンブリのハブの斜視図である。
【図４】図1のフード内に設置して示された、図1の引き紐アセンブリの一部を、部分的に除いて示した斜視図である。
【図１】
2008531202.tif 000004
【図２】
2008531202.tif 000005
【図３】
2008531202.tif 000006
【図４】
2008531202.tif 000007
【国際調査報告】
2008531202.tif 000008
2008531202.tif 000009
2008531202.tif 000010